(57)【要約】【課題】軒樋吊具の把持とその固着具の把持とを一つの部材の把持で行うことができて、軒樋吊具の鼻板への取付け作業がし易い補助治具を提供する。【解決手段】  軒樋吊具１を固着具Ｂにより鼻板Ｈに取付けるための補助治具２であって、手で把持する把持部３１と軒樋吊具１を支持する支持部３２とを備えた本体３に、前記支持部３２にて支持される軒樋吊具１の固着具挿通孔１０に対応する部分に固着具Ｂを保持する固着具保持部３３を設けた。【選択図】        図１
2006328829.tif 000002
【特許請求の範囲】
【請求項１】
軒樋吊具を固着具により鼻板に取付けるための補助治具であって、手で把持する把持部と軒樋吊具を支持する支持部とを備えた本体に、前記支持部にて支持される軒樋吊具の固着具挿通孔に対応する部分に固着具を保持する固着具保持部を設けて成ることを特徴とする補助治具。
【請求項２】
本体を鼻板の下端部から所定の高さに位置決めするための鼻板下面に当接させる上下位置決め部を本体に対して上下スライド自在に設けて成ることを特徴とする請求項１記載の補助治具。
【請求項３】
固着具保持部を、固着具を挟持可能な変形性を有する挟持体で形成して成ることを特徴とする請求項１又は２記載の補助治具。
【請求項４】
固着具保持部を磁石にて形成して成ることを特徴とする請求項１又は２記載の補助治具。
【発明の詳細な説明】
【技術分野】
【０００１】
本発明は、軒樋吊具を固着具により鼻板に取付けるための補助治具に関するものである。
【背景技術】
【０００２】
従来より、軒樋吊具を固着具により鼻板に取付ける際に用いられる補助治具が知られている（例えば特許文献１参照）。
【０００３】
これは、鼻板に軒樋吊具をあてがい、軒樋吊具に形成した複数の固着具挿通孔に対応する部分にそれぞれ補助治具にて保持した複数の固着具を合わせ、前記固着具を工具にて固着具挿通孔を介して鼻板に打ち込んで軒樋吊具を鼻板に固定するものである。
【０００４】
この従来の補助治具にあっては、複数の固着具を一つの補助治具にて保持することができるため、作業者はこの一つの補助治具を手で把持するだけで複数の固着具を保持することができるものの、軒樋吊具は補助治具とは別に把持する必要があるため、補助治具の把持と軒樋吊具の把持に加え工具の把持が必要となって作業がし難いものであった。
【特許文献１】特開平９−２５６８８号公報
【発明の開示】
【発明が解決しようとする課題】
【０００５】
本発明は上記の従来の問題点に鑑みて発明したものであって、その目的とするところは、軒樋吊具の把持とその固着具の把持とを一つの部材の把持で行うことができて、軒樋吊具の鼻板への取付け作業がし易い補助治具を提供することを課題とするものである。
【課題を解決するための手段】
【０００６】
上記課題を解決するために本発明の請求項１に係る補助治具は、軒樋吊具１を固着具Ｂにより鼻板Ｈに取付けるための補助治具２であって、手で把持する把持部３１と軒樋吊具１を支持する支持部３２とを備えた本体３に、前記支持部３２にて支持される軒樋吊具１の固着具挿通孔１０に対応する部分に固着具Ｂを保持する固着具保持部３３を設けて成ることを特徴とするものである。このような構成とすることで、補助治具２を把持するだけで軒樋吊具１の把持と固着具Ｂの把持が可能となって、片手でこの補助治具２を把持するとともにもう一方の手で工具を使用することができて軒樋吊具１の鼻板Ｈへの取付け作業がし易くなるものである。
【０００７】
また、請求項２に係る発明は、請求項１に係る発明において、本体３を鼻板Ｈの下端部から所定の高さに位置決めするための鼻板Ｈ下面に当接させる上下位置決め部４を本体３に対して上下スライド自在に設けて成ることを特徴とするものである。このような構成とすることで、上下位置決め部４を鼻板Ｈ下面に当接させることで補助治具２の本体３を鼻板Ｈの下端部から所定の高さに位置決めすることができて、簡単に位置決め作業を行うことができる。
【０００８】
また、請求項３に係る発明は、請求項１又は２に係る発明において、固着具保持部３３を、固着具Ｂを挟持可能な変形性を有する挟持体３４で形成して成ることを特徴とするものである。このような構成とすることで、簡単な構成で固着具保持部３３を構成することができる。
【０００９】
また、請求項４に係る発明は、請求項１又は２に係る発明において、固着具保持部３３を磁石３６にて形成して成ることを特徴とするものである。このような構成とすることで、磁石３６によって固着具Ｂの一箇所のみで支持することが可能となって、作業の際に固着具保持部３３が邪魔にならないものである。
【発明の効果】
【００１０】
本発明においては、補助治具を把持するだけで軒樋吊具の把持と固着具の把持が可能となって、作業者は片手でこの補助治具を把持するとともにもう一方の手で工具を使用することができて軒樋吊具の鼻板への取付け作業がし易くなる。
【発明を実施するための最良の形態】
【００１１】
以下、本発明を添付図面に示す実施形態に基いて説明する。
【００１２】
軒樋吊具１は、鼻板Ｈに固定される正面視略矩形をした板状の取付座部１１と、取付座部１１から建物の外方側に向けて突設されて軒樋を支持する突出支持部１２とで構成される。取付座部１１には、建物の外方側の面の左右中央の下端部に縦板状のリブ１３が突設してあると共に、正面視で左右両側の端部に上下に二個ずつ計四個の固着具挿通孔１０が形成してあり、釘やビス等（本実施形態ではビス）からなる固着具Ｂを電動ドリルやハンマー等からなる工具（本実施形態では電動ドリル）にて固着具挿通孔１０を介して鼻板Ｈに打ち込むか又は螺着し固定するものである。なお、固着具挿通孔１０の個数は特に四個に限定されない。
【００１３】
補助治具２は、図１に示すように本体３と該本体３に対して上下にスライド自在に設ける上下位置決め部４とからなる。本体３は、作業者が手で把持するための把持部３１と、軒樋吊具１を支持する支持部３２とからなる。把持部３１は上下方向から若干傾斜した方向を長手方向とする棒状をしたもので、その上端部に正面視上方に開口した略コ字状をした支持部３２を設けてある。支持部３２は、その略コ字状をした部分に軒樋吊具１の突出支持部１２を上方より挿入して支持するもので、この時に軒樋吊具１の取付座部１１の中央に設けた上記リブ１３が嵌入されるリブ嵌入溝３４を形成してある。リブ嵌入溝３４は両側に溝形成リブ３４ａを突出して形成してあり、このリブ嵌入溝３４にリブ１３を嵌入するようにしたことで、軒樋吊具１を補助治具２の支持部３２にて支持する際の左右方向の位置決めが行われる。そして、支持部３２の略コ字状の両上端部からはそれぞれ正面視で外側方に向けて固着具保持部３３を連設してある。
【００１４】
固着具保持部３３は、本実施形態ではゴム等の変形性を有する挟持体３４で形成してある。挟持体３４は、左右方向の内側の板部３４ａと外側の板部３４ｂとからなるもので、内側の板部３４ａは上下方向中央部において支持部３２の略コ字状の上端部に固定されるとともに、外側の板部３４ｂは上下方向中央部において内側の板部３４ａから連設される連結部材３４ｃによって該内側の板部３４ａから固着具Ｂの幅よりも小さい間隔をあけて固定される。これにより、内側の板部３４ａと外側の板部３４ｂとは、上下方向に向けてそれぞれ片持ち状となり、内側の板部３４ａと外側の板部３４ｂの上端部又は下端部を広げるように変形させて固着具Ｂをこの間に配置し、内側の板部３４ａと外側の板部３４ｂの変形をもとに戻すと固着具Ｂが挟持されて保持される。
【００１５】
固着具Ｂが挟持される左右方向の位置、すなわち、内側の板部３４ａと外側の板部３４ｂとの間の隙間の左右方向の位置は、上述したように軒樋吊具１のリブ１３を補助治具２のリブ嵌入溝３４に嵌入して左右方向の位置決めをした状態で軒樋吊具１を支持した際、軒樋吊具１の取付座部１１の左右両側に設けた固着具挿通孔１０に対応する位置するものである。また、この時の固着具挿通孔１０の上下方向の位置に目印等を付けることで、目印等を付けた部分に固着具Ｂをそれぞれ挟持すれば、左右・上下方向とも軒樋吊具１の固着具挿通孔１０に対応する部分に固着具Ｂを保持することが可能となる。本実施形態では目印として、内側の板部３４ａと外側の板部３４ｂの対向面に凹みを形成しており、これにより目印として機能するだけでなく自動的に固着具Ｂの位置決めが行われる。
【００１６】
上下位置決め部４は、平面視略矩形の板状をした本体部４１で主体が構成され、本体部４１の一端側に上記補助治具２の本体３の把持部３１に被嵌される開口部４２を設けると共に、他端部の上面を鼻板Ｈ下面に当接させる当接部４３としてある。また、本体部４１の開口部４２を設けた側の端縁には、平面視で開口部４２と若干重なるように上方へ行く程開口部４２側に傾斜する固定用係合部４４を突設すると共に、該固定用係合部４４と一体に取手部４５を前記開口部４２と反対側に突設してある。また、補助治具２の本体３の把持部３１には、その表面に上下方向に亙って固定用係合部４４が係合される三角波状の被係合部３１ａが形成してある。
【００１７】
この上下位置決め部４は、補助治具２の本体３の把持部３１に下端部より被嵌し、固定用係合部４４をその弾性により被係合部３１ａのいずれかの三角状の表面間に押圧した状態で係合させて固定するため、この係合位置が上下方向に選択可能となる。
【００１８】
上記のような補助治具２を用いて軒樋吊具１を鼻板Ｈに取付けるには、軒樋吊具１を補助治具２の本体３の支持部３２にて支持すると共に、本体３の固着具保持部３３にて固着具Ｂを保持する。そして、軒樋吊具１が鼻板Ｈの取付位置に配置されるように上下位置決め部４を上下スライドさせるとともにその固定用係合部４４を被係合部３１ａに係合させて固定する。この時、固定用係合部４４と一体に突設してある取手部４５に下方に力を加えて変形させることで、固定用係合部４４が上方に移動して被係合部３１ａとの係合が解除され、取手部４５に加える力を除くと再び固定用係合部４４が被係合部３１ａに係合する。
【００１９】
そして、上下位置決め部４の当接部４３を鼻板Ｈの下面に当接させて上下の位置決めを行った状態で、固着具保持部３３にて保持している固着具Ｂを鼻板Ｈに螺着していく。固着具保持部３３の挟持体３４は上述したように変形性を有するため、工具を挟持体３４の両板部３４ａ、３４ｂの間にねじ込んでそのまま固着具Ｂを螺着することができ、固着具Ｂを鼻板Ｈに螺着する際の妨げとならない。
【００２０】
軒樋吊具１は鼻板Ｈに左右方向に通常は一定間隔をあけて配設するが、この時、被係合部３１ａの三角状の表面を多数の繰り返し形状としておくと、軒樋吊具１を鼻板Ｈに固定する際に、固定用係合部４４の被係合部３１ａへの係合部分を隣接する軒樋吊具１を固定した時よりも一段階又は所定段階ずつずらすことで、軒樋が一定の水勾配を有するように軒樋吊具１を配置することができる。
【００２１】
以上のような構成によれば、軒樋吊具１の固着具挿通孔１０に対応する部分に固着具Ｂを保持する固着具保持部３３を設けたことで、作業者はこの補助治具２を把持するだけで軒樋吊具１の把持と固着具Ｂの把持が可能となって、片手でこの補助治具２を把持するとともにもう一方の手で工具を使用することができて軒樋吊具１の鼻板Ｈへの取付け作業がし易くなるものであり、また、鼻板Ｈ下面に当接させるための上下位置決め部４を本体３に対して上下スライド自在に設けたことで、補助治具２の本体３を鼻板Ｈの下端部から所定の高さに位置決めすることができて、簡単に位置決め作業を行うことができる。
【００２２】
また、固着具保持部３３を、固着具Ｂを挟持可能な変形性を有する挟持体３４で形成したことで、簡単な構成で固着具保持部３３を構成することができる。
【００２３】
また図４に示すように、磁石３６を用いて固着具保持部３３を構成してもよい。これは、支持部３２の略コ字状の両上端部からそれぞれ正面視で外側方に向けて上下方向を長手方向とする縦部材３５を設け、この縦部材３５の外面に磁石３６を設けて構成してある。この場合においても、磁石３６に磁着した固着具Ｂは軒樋吊具１の固着具挿通孔１０に対応する位置に配置される。
【００２４】
本例のものにあっては、固着具Ｂを上例のように挟持体３４で挟持するものではなく固着具Ｂの一箇所のみで支持しているため、作業の際に固着具保持部３３が邪魔にならないものである。また、この場合でも、磁石３６に固着具Ｂに沿って磁着するための凹みを形成することで、自動的に固着具Ｂの位置決めが行われる。
【図面の簡単な説明】
【００２５】
【図１】本発明の一実施形態の補助治具を示し、（ａ）は正面図であり、（ｂ）は側面図であり、（ｃ）は平面図であり、（ｄ）は上下位置決め部の平面図である。
【図２】軒樋吊具を示し、（ａ）は取付座部の背面図であり、（ｂ）は側面図である。
【図３】（ａ）は軒樋吊具を補助治具にて支持して鼻板に取付ける作業の説明図であり、（ｂ）は軒樋吊具を補助治具にて支持した状態の背面図である。
【図４】他の実施形態を示し、（ａ）は正面図であり、（ｂ）は側面図であり、（ｃ）は平面図である。
【符号の説明】
【００２６】
１    軒樋吊具
１０  固着具挿通孔
２    補助治具
３    本体
３１  把持部
３２  支持部
３３  固着具保持部
Ｂ    固着具
Ｈ    鼻板
【図１】
2006328829.tif 000003
【図２】
2006328829.tif 000004
【図３】
2006328829.tif 000005
【図４】
2006328829.tif 000006